(57)【特許請求の範囲】
【請求項１】
空気を取り込むインレットと、
前記空気を用いて燃料を燃焼し、燃焼ガスを生成する燃焼器と、
前記燃焼ガスを放出するノズルと、
燃料供給機構と
を具備し、
前記燃焼器は、
燃焼室と、
前記燃焼室に前記燃料を噴射する前方側燃料噴射口と、
前記前方側燃料噴射口の後方側に配置され、前記燃焼室に前記燃料を噴射する後方側燃料噴射口と
を備え、
前記燃料供給機構は、
燃料タンクと、
燃料供給流路と
を備え、
前記燃料供給流路は、
第１の燃料改質部を含み、前記燃料タンクと前記前方側燃料噴射口とを流体接続する第１流路と、
第２の燃料改質部を含み、前記燃料タンクと前記後方側燃料噴射口とを流体接続する第２流路と
を備え、
前記燃料供給機構は、前記前方側燃料噴射口に、前記後方側燃料噴射口に供給される前記燃料の改質率よりも高い改質率の前記燃料を供給し、
前記第１の燃料改質部の少なくとも一部は、前記第２の燃料改質部と異なる
ジェットエンジン。
【請求項２】
前記第１の燃料改質部は、単位時間あたりに取り込む総入熱量が、前記第２の燃料改質部よりも大きい
請求項１に記載のジェットエンジン。
【請求項３】
前記第１の燃料改質部は、前記燃料が通過する時間が、前記第２の燃料改質部よりも長い
請求項１または２に記載のジェットエンジン。
【請求項４】
空気を取り込むインレットと、
前記空気を用いて燃料を燃焼し、燃焼ガスを生成する燃焼器と、
前記燃焼ガスを放出するノズルと、
燃料供給機構と
を具備し、
前記燃焼器は、
燃焼室と、
前記燃焼室に前記燃料を噴射する前方側燃料噴射口と、
前記前方側燃料噴射口の後方側に配置され、前記燃焼室に前記燃料を噴射する後方側燃料噴射口と
を備え、
前記燃料供給機構は、
燃料タンクと、
燃料供給流路と
を備え、
前記燃料供給流路は、
第１の燃料改質部を含み、前記燃料タンクと前記前方側燃料噴射口とを流体接続する第１流路と、
第２の燃料改質部を含み、前記燃料タンクと前記後方側燃料噴射口とを流体接続する第２流路と
を備え、
前記燃料供給機構は、前記前方側燃料噴射口に、前記後方側燃料噴射口に供給される前記燃料の改質率よりも高い改質率の前記燃料を供給し、
前記第２の燃料改質部と前記燃焼室の壁部との間の熱交換面積は、前記第１の燃料改質部と前記燃焼室の壁部との間の熱交換面積よりも小さい
ジェットエンジン。
【請求項５】
前記燃料供給流路は、共通流路を備え、
前記共通流路は、前記第１流路の一部を構成するとともに、前記第２流路の一部を構成する
請求項１乃至４のいずれか一項に記載のジェットエンジン。
【請求項６】
前記燃料供給流路は、共通流路を備え、
前記共通流路は、前記第１流路の一部を構成するとともに、前記第２流路の一部を構成し、
前記共通流路は、共通燃料改質部を含み、
前記共通燃料改質部は、前記第１の燃料改質部の少なくとも一部を構成するとともに、前記第２の燃料改質部の少なくとも一部を構成する
請求項１乃至４のいずれか一項に記載のジェットエンジン。
【請求項７】
前記第２流路は、前記共通燃料改質部の下流側に、流量調整弁を備える
請求項６に記載のジェットエンジン。
【請求項８】
前記燃料供給機構は、
前記燃料供給流路に配置される燃料供給ポンプと、
前記燃料供給流路に配置されるタービンと
を備え、
前記タービンは、前記第１の燃料改質部よりも下流側に配置され、
前記タービンの出力軸は、前記燃料供給ポンプを駆動させる駆動軸に接続され、
前記燃料供給機構は、前記燃料供給ポンプに供給される前記燃料の少なくとも一部を前記燃料タンクに戻すリターン流路を有さない
請求項７に記載のジェットエンジン。
【請求項９】
前記燃料供給機構は、
前記燃料供給流路に配置される燃料供給ポンプと、
前記燃料供給流路に配置されるタービンと
を備え、
前記タービンは、前記第１の燃料改質部よりも下流側に配置され、
前記タービンの出力軸は、前記燃料供給ポンプを駆動させる駆動軸に接続される
請求項１乃至７のいずれか一項に記載のジェットエンジン。
【請求項１０】
空気を取り込むインレットと、
前記空気を用いて燃料を燃焼し、燃焼ガスを生成する燃焼器と、
前記燃焼ガスを放出するノズルと、
燃料供給機構と
を具備し、
前記燃焼器は、
燃焼室と、
前記燃焼室に前記燃料を噴射する前方側燃料噴射口と、
前記前方側燃料噴射口の後方側に配置され、前記燃焼室に前記燃料を噴射する後方側燃料噴射口と
を備え、
前記燃料供給機構は、
燃料タンクと、
燃料供給流路と
を備え、
前記燃料供給流路は、
第１の燃料改質部を含み、前記燃料タンクと前記前方側燃料噴射口とを流体接続する第１流路と、
第２の燃料改質部を含み、前記燃料タンクと前記後方側燃料噴射口とを流体接続する第２流路と
を備え、
前記第２の燃料改質部と前記燃焼室の壁部との間の熱交換面積は、前記第１の燃料改質部と前記燃焼室の壁部との間の熱交換面積よりも小さい
ジェットエンジン。
【請求項１１】
請求項１乃至１０のいずれか一項に記載のジェットエンジンを備える飛しょう体。
【発明の詳細な説明】
【技術分野】
【０００１】
本発明は、ジェットエンジン、および、飛しょう体に関する。
【背景技術】
【０００２】
音速より速く飛しょうする機体のジェットエンジンとして、ターボジェットエンジン（ターボファンエンジン等を含む）、ラムジェットエンジン、スクラムジェットエンジンが知られている。これらは空気を取り入れて作動するジェットエンジンであり、特にラムジェットエンジン、スクラムジェットエンジンでは取り入れた空気の速度は飛しょう速度に強く依存する。
【０００３】
ジェットエンジンにおいては、燃料噴射器から噴射される燃料の燃焼がより確実に実行されることが好ましい。
【０００４】
関連する技術として、特許文献１には、ロケットエンジンと空気吸い込み式エンジンとを併用する宇宙輸送機が記載されている。特許文献１に記載の宇宙輸送機の燃料は、炭化水素化合物である。特許文献１に記載の宇宙輸送機では、燃料タンクから供給される炭化水素化合物を、水素と他の炭化水素化合物とに分解する。分解により生成される水素は、空気吸い込み式エンジンに供給される。他方、分解により生成される他の炭化水素化合物は、ロケットエンジンに供給される。
【０００５】
特許文献２には、アフターバーナ付きロケットエンジンの推力増大方法が記載されている。特許文献２に記載の推力増大方法では、航空タービン燃料として高炭素数の炭化水素燃料を用い、アフターバーナ用の燃料として低炭素数の炭化水素燃料を用いている。
【先行技術文献】
【特許文献】
【０００６】
【特許文献１】特開２００９−４１４１８号公報
【特許文献２】特開平９−４５１１号公報
【発明の概要】
【発明が解決しようとする課題】
【０００７】
本発明の目的は、前方側燃料噴射口から噴射される燃料の改質率が、後方側燃料噴射口から噴射される燃料の改質率よりも高いジェットエンジン、および、飛しょう体を提供することにある。
【０００８】
この発明のこれらの目的とそれ以外の目的と利益とは以下の説明と添付図面とによって容易に確認することができる。
【課題を解決するための手段】
【０００９】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【００１０】
いくつかの実施形態に係るジェットエンジンは、空気を取り込むインレット（１１）と、前記空気を用いて燃料を燃焼し、燃焼ガスを生成する燃焼器（１２）と、前記燃焼ガスを放出するノズル（１３）と、燃料供給機構（５０）とを具備する。前記燃焼器（１２）は、燃焼室（Ｃｈ）と、前記燃焼室に前記燃料を噴射する前方側燃料噴射口（２２）と、前記前方側燃料噴射口（２２）の後方側に配置され、前記燃焼室（Ｃｈ）に前記燃料を噴射する後方側燃料噴射口（２４）とを備える。前記燃料供給機構（５０）は、燃料タンク（５１）と、燃料供給流路（５２）とを備える。前記燃料供給流路（５２）は、第１の燃料改質部（６２Ａ）を含み、前記燃料タンク（５１）と前記前方側燃料噴射口（２２）とを流体接続する第１流路（５２Ａ）と、前記燃料タンク（５１）と前記後方側燃料噴射口（２４）とを流体接続する第２流路（５２Ｂ）とを備える。前記燃料供給機構（５０）は、前記前方側燃料噴射口（２２）に、前記後方側燃料噴射口（２４）に供給される前記燃料の改質率よりも高い改質率の前記燃料を供給する。
【００１１】
上記ジェットエンジンにおいて、前記第２流路（５２Ｂ）は、第２の燃料改質部（６２Ｂ）を含んでいてもよい。
【００１２】
上記ジェットエンジンにおいて、前記第２の燃料改質部（６２Ｂ）と前記燃焼室の壁部との間の熱交換面積は、前記第１の燃料改質部（６２Ａ）と前記燃焼室の壁部との間の熱交換面積よりも小さくてもよい。
【００１３】
上記ジェットエンジンにおいて、前記燃料供給流路（５２）は、共通流路（５２Ｃ）を備えていてもよい。前記共通流路（５２Ｃ）は、前記第１流路（５２Ａ）の一部を構成するとともに、前記第２流路（５２Ｂ）の一部を構成してもよい。
【００１４】
上記ジェットエンジンにおいて、前記燃料供給流路（５２）は、共通流路（５２Ｃ）を備えていてもよい。前記共通流路（５２Ｃ）は、前記第１流路（５２Ａ）の一部を構成するとともに、前記第２流路（５２Ｂ）の一部を構成してもよい。前記共通流路（５２Ｃ）は、共通燃料改質部（６２Ｃ）を含んでいてもよい。前記共通燃料改質部（６２Ｃ）は、前記第１の燃料改質部（５２Ａ）の少なくとも一部を構成するとともに、前記第２の燃料改質部（６２Ｂ）の少なくとも一部を構成してもよい。
【００１５】
上記ジェットエンジンにおいて、前記第２流路（５２Ｂ）は、前記共通燃料改質部（６２Ｃ）の下流側に、流量調整弁（９０）を備えていてもよい。
【００１６】
上記ジェットエンジンにおいて、前記燃料供給機構（５０）は、前記燃料供給流路（５２）に配置される燃料供給ポンプ（５９Ｃ）と、前記燃料供給流路（５２）に配置されるタービン（８０）とを備えていてもよい。前記タービン（８０）は、前記第１の燃料改質部（６２Ａ）よりも下流側に配置されてもよい。前記タービン（８０）の出力軸は、前記燃料供給ポンプ（５９Ｃ）を駆動させる駆動軸に接続されてもよい。前記燃料供給機構（５０）は、前記燃料供給ポンプ（５９Ｃ）に供給される前記燃料の少なくとも一部を前記燃料タンク（５１）に戻すリターン流路（７０）を有していなくてもよい。
【００１７】
上記ジェットエンジンにおいて、前記燃料供給機構（５０）は、前記燃料供給流路（５２）に配置される燃料供給ポンプ（５９Ｃ）と、前記燃料供給流路（５２）に配置されるタービン（８０）とを備えていてもよい。前記タービン（８０）は、前記第１の燃料改質部（６２Ａ）よりも下流側に配置されてもよい。前記タービン（８０）の出力軸は、前記燃料供給ポンプ（５９Ｃ）を駆動させる駆動軸に接続されてもよい。
【００１８】
いくつかの実施形態に係るジェットエンジンは、空気を取り込むインレット（１１）と、前記空気を用いて燃料を燃焼し、燃焼ガスを生成する燃焼器（１２）と、前記燃焼ガスを放出するノズル（１３）と、燃料供給機構（５０）とを具備する。前記燃焼器（１２）は、燃焼室（Ｃｈ）と、前記燃焼室に前記燃料を噴射する前方側燃料噴射口（２２）と、前記前方側燃料噴射口（２２）の後方側に配置され、前記燃焼室（Ｃｈ）に前記燃料を噴射する後方側燃料噴射口（２４）とを備える。前記燃料供給機構（５０）は、燃料タンク（５１）と、燃料供給流路（５２）とを備える。前記燃料供給流路（５２）は、第１の燃料改質部（６２Ａ）を含み、前記燃料タンク（５１）と前記前方側燃料噴射口（２２）とを流体接続する第１流路（５２Ａ）と、第２の燃料改質部（６２Ｂ）を含み、前記燃料タンク（５１）と前記後方側燃料噴射口（２４）とを流体接続する第２流路（５２Ｂ）とを備える。前記第２の燃料改質部（６２Ｂ）と前記燃焼室の壁部との間の熱交換面積は、前記第１の燃料改質部（６２Ａ）と前記燃焼室の壁部との間の熱交換面積よりも小さい。
【００１９】
いくつかの実施形態に係る飛しょう体は、ジェットエンジンを備える。ジェットエンジンは、上記段落に記載されているもののいずれかである。
【発明の効果】
【００２０】
本発明により、前方側燃料噴射口から噴射される燃料の改質率が、後方側燃料噴射口から噴射される燃料の改質率よりも高いジェットエンジン、および、飛しょう体が提供できる。
【図面の簡単な説明】
【００２１】
【図１Ａ】図１Ａは、ジェットエンジンを模式的に示す概略断面図である。
【図１Ｂ】図１Ｂは、図１ＡのＡ−Ａ矢視断面図である。
【図２Ａ】図２Ａは、実施形態に係るジェットエンジンの構成の一例を模式的に示す概略断面図である。
【図２Ｂ】図２Ｂは、図２ＡのＢ−Ｂ矢視断面図である。
【図２Ｃ】図２Ｃは、実施形態に係るジェットエンジンの構成の一例を模式的に示す概略断面図である。
【図３Ａ】図３Ａは、実施形態に係るジェットエンジンの構成の一例を模式的に示す概略断面図である。
【図３Ｂ】図３Ｂは、図３ＡのＣ−Ｃ矢視断面図である。
【図４】図４は、実施形態に係る飛しょう体の構成の一例を示す斜視図である。
【図５Ａ】図５Ａは、実施形態に係るジェットエンジンの構成の一例を模式的に示す概略断面図である。
【図５Ｂ】図５Ｂは、図５ＡのＤ−Ｄ矢視断面図である。
【図５Ｃ】図５Ｃは、燃焼器の壁部の燃焼器の長手方向に垂直な断面を模式的に示す断面図である。
【図５Ｄ】図５Ｄは、実施形態に係るジェットエンジンの構成の一例を模式的に示す概略斜視図である。
【図６Ａ】図６Ａは、実施形態に係るジェットエンジンの構成の一例を模式的に示す概略断面図である。
【図６Ｂ】図６Ｂは、図６ＡのＥ−Ｅ矢視断面図である。
【図６Ｃ】図６Ｃは、実施形態に係るジェットエンジンの構成の一例を模式的に示す概略斜視図である。
【図６Ｄ】図６Ｄは、実施形態に係るジェットエンジンの構成の一例を模式的に示す概略断面図である。
【図６Ｅ】図６Ｅは、実施形態に係るジェットエンジンの構成の一例を模式的に示す概略断面図である。
【発明を実施するための形態】
【００２２】
以下、実施形態に係るジェットエンジンに関して、添付図面を参照して説明する。ここでは、ジェットエンジンを飛しょう体に適用した例について説明する。
【００２３】
（用語の定義）
図１Ａには、ジェットエンジンの作動時における主流空気の流れＭＡ（換言すれば、インレットからジェットエンジンに取り込まれる空気の流れ）が記載されている。本明細書において、主流空気の流れＭＡに対して上流側、すなわち、ジェットエンジンのインレット側を「前方側」と定義する。また、主流空気の流れに対して下流側、すなわち、ジェットエンジンのノズル側を「後方側」と定義する。
【００２４】
本明細書において、「下流側」は、燃料の流れの下流側を意味し、「上流側」は、燃料の流れの上流側を意味する。
【００２５】
（発明者によって認識された課題）
図１Ａおよび図１Ｂを参照して、発明者によって認識された課題について説明する。図１Ａは、ジェットエンジンを模式的に示す概略断面図である。図１Ｂは、図１ＡのＡ−Ａ矢視断面図である。なお、図１Ａおよび図１Ｂは、発明者によって認識された課題について説明するために便宜的に使用される図である。よって、図１Ａおよび図１Ｂは、公知技術を示すものではない。
【００２６】
図１Ａに記載の例において、ジェットエンジン２は、インレット１１と、燃焼器１２と、ノズル１３とを備える。燃焼器１２は、燃焼室Ｃｈと、前方側燃料噴射口２２（前方側燃料噴射器）と、後方側燃料噴射口２４（後方側燃料噴射器）とを備える。
【００２７】
図１Ａに記載の例において、ジェットエンジン２は、燃料供給機構５０を備える。燃料供給機構５０は、燃料タンク５１と、燃料供給流路５２と、燃料供給流路５２に配置される燃料供給ポンプ５９とを備える。燃料供給流路５２は、前方側燃料噴射口２２および後方側燃料噴射口２４に流体接続される。なお、燃料供給流路５２に沿って記載された矢印は、燃料の流れ方向を示す。
【００２８】
燃料供給流路５２は、燃料改質部６２を備える。換言すれば、燃料改質部６２は、燃料供給流路５２の一部である。燃料改質部６２には、燃料改質触媒が配置される。燃料改質部６２に供給される燃料は、燃焼室からの熱および燃料改質触媒との相互作用によって、より炭素数の少ない低炭素数の燃料（改質燃料）に改質される。改質された燃料（改質燃料）は、前方側燃料噴射口２２および後方側燃料噴射口２４から燃焼室Ｃｈ内に噴射される。
【００２９】
なお、図１Ａおよび図１Ｂにおいて、入口６６は、燃料改質部６２の入口である。また、出口６８は、燃料改質部６２の出口である。また、図１Ｂにおいて、ハッチングされている部分は、燃料供給流路５２の壁部５３を示す。
【００３０】
図１Ａおよび図１Ｂに記載の例において、前方側燃料噴射口２２から噴射される燃料の改質の程度（改質率）と、後方側燃料噴射口２４から噴射される燃料の改質の程度（改質率）とは、互いに等しい。
【００３１】
ところで、前方側燃料噴射口２２から噴射される燃料への着火は、後方側燃料噴射口２４から噴射される燃料への着火と比較して、着火がより難しいことが発明者に知られている。また、前方側燃料噴射口２２から噴射される燃料の燃焼によって生成される炎の保炎は、後方側燃料噴射口２４から噴射される燃料の燃焼によって生成される炎の保炎と比較して、保炎がより難しいことが発明者に知られている。
【００３２】
そこで、発明者は、燃料への着火の容易性、および、燃料の燃焼によって生成される炎の保炎の容易性の観点から、前方側燃料噴射口から噴射される燃料の改質率を、後方側燃料噴射口から噴射される燃料の改質率よりも高くすることを考えた。改質率の高い燃料は、改質率の低い燃料と比較して、着火が容易である。また、改質率の高い燃料の燃焼により生成される炎は、改質率の低い燃料の燃焼により生成される炎と比較して、保炎が容易である。
【００３３】
このため、前方側燃料噴射口から噴射される燃料の改質率を、後方側燃料噴射口から噴射される燃料の改質率よりも高くすることによって、前方側燃料噴射口２２から噴射される燃料の着火をより容易にし、かつ、前方側燃料噴射口２２から噴射される燃料の燃料により生成される炎の保炎をより容易にすることが可能である。
【００３４】
（ジェットエンジンの構成概要）
図２Ａは、実施形態に係るジェットエンジン２の構成の一例を模式的に示す概略断面図である。図２Ｂは、図２ＡのＢ−Ｂ矢視断面図である。なお、図２Ａおよび図２Ｂにおいて、図１Ａおよび図１Ｂに記載した部材と同じ機能を有する部材については、同一の図番が付されている。同一の図番が付されている部材について、繰り返しの説明は省略される。
【００３５】
ジェットエンジン２は、インレット１１と、燃焼器１２と、ノズル１３とを備える。燃焼器１２は、インレットから取り込まれた空気を用いて燃料を燃焼する。燃焼器１２は、燃料の燃焼によって、燃焼ガスを生成する。ノズル１３は、後方方向に向けて、燃焼ガスを放出する。ジェットエンジン２は、ラムジェットエンジンまたはスクラムジェットエンジンであってもよい。
【００３６】
燃焼器１２は、燃焼室Ｃｈと、少なくとも１つの前方側燃料噴射口２２（前方側燃料噴射器）と、少なくとも１つの後方側燃料噴射口２４（後方側燃料噴射器）とを備える。後方側燃料噴射口２４は、前方側燃料噴射口２２よりも後方側に配置される。
【００３７】
前方側燃料噴射口２２は、燃焼器１２の壁に設けられる。前方側燃料噴射口２２は、燃焼室Ｃｈに燃料を噴射する。後方側燃料噴射口２４は、燃焼器１２の壁に設けられる。後方側燃料噴射口２４は、燃焼室Ｃｈに燃料を噴射する。
【００３８】
ジェットエンジン２は、燃料供給機構５０を備える。燃料供給機構５０は、燃料タンク５１と、燃料供給流路５２とを備える。なお、燃料供給流路５２に沿って記載された矢印は、燃料の流れ方向を示す。
【００３９】
燃料供給流路５２は、燃料タンク５１と前方側燃料噴射口２２とを流体接続する第１流路５２Ａと、燃料タンク５１と後方側燃料噴射口２４とを流体接続する第２流路５２Ｂとを備える。
【００４０】
第１流路５２Ａには、第１の燃料供給ポンプ５９Ａが配置されてもよい。第１の燃料供給ポンプ５９Ａは、燃料タンク５１から、前方側燃料噴射口２２に向けて、燃料を供給する（圧送する）。第２流路５２Ｂには、第２の燃料供給ポンプ５９Ｂが配置されてもよい。第２の燃料供給ポンプ５９Ｂは、燃料タンク５１から、後方側燃料噴射口２４に向けて、燃料を供給する（圧送する）。
【００４１】
第１流路５２Ａは、第１の燃料改質部６２Ａを備える。換言すれば、第１の燃料改質部６２Ａは、第１流路５２Ａの一部である。第１の燃料改質部６２Ａは、燃料タンク５１から供給される液体燃料（例えば、高炭素数の炭化水素を主成分として含む液体燃料）を熱分解して、改質燃料（例えば、低炭素数の炭化水素を主成分として含む気体の改質燃料）を生成する。熱分解において必要とされる熱は、熱源から供給される。熱源は、例えば、燃焼室、あるいは、ヒーター等である。
【００４２】
第１の燃料改質部６２Ａには、燃料改質触媒が配置される。燃料改質触媒は、例えば、高炭素数の液体燃料を熱分解して低炭素数の改質燃料を生成する反応を促進する触媒である。
【００４３】
第１の燃料改質部６２Ａによって改質された燃料（改質燃料）は、前方側燃料噴射口２２に供給される。第１の燃料改質部６２Ａによって改質された燃料（改質燃料）は、前方側燃料噴射口２２から、燃焼室Ｃｈに噴射される。
【００４４】
なお、図２Ａおよび図２Ｂにおいて、入口６６Ａは、第１の燃料改質部６２Ａの入口である。また、出口６８Ａは、第１の燃料改質部６２Ａの出口である。また、図２Ｂにおいて、ハッチングされている部分は、燃料供給流路５２の壁部５３を示す。
【００４５】
図２Ａに記載の例では、後方側燃料噴射口２４に燃料を供給する第２流路５２Ｂには、燃料改質部が設けられていない。燃料タンク５１から第２流路５２Ｂを介して供給される燃料は、後方側燃料噴射口２４から燃焼室Ｃｈに噴射される。
【００４６】
図２Ａおよび図２Ｂに記載の例において、前方側燃料噴射口２２から噴射される燃料は、第１の燃料改質部６２Ａによって改質された燃料である。このため、前方側燃料噴射口から噴射される燃料の改質の程度（改質率）は、後方側燃料噴射口２４から噴射される燃料の改質の程度（改質率）よりも大きい。換言すれば、図２Ａおよび図２Ｂに記載の例において、燃料供給機構５０は、前方側燃料噴射口２２に、後方側燃料噴射口２４に供給される燃料の改質率よりも高い改質率の燃料を供給する。
【００４７】
図２Ａおよび図２Ｂに記載の例では、燃料改質部として利用可能な領域（燃焼室に隣接する領域）を、集中的に、前方側燃料噴射口２２から噴射される燃料の改質のために使用している。このため、前方側燃料噴射口２２から噴射される燃料、および、後方側燃料噴射口２４から噴射される燃料の両者を改質する場合と比較して、前方側燃料噴射口２２から噴射される燃料の改質率を向上させることが可能である。
【００４８】
図２Ａおよび図２Ｂに記載の例では、前方側燃料噴射口２２から噴射される燃料の改質率を、後方側燃料噴射口２４から噴射される燃料の改質率よりも高くすることによって、前方側燃料噴射口２２から噴射される燃料の着火をより容易にし、かつ、前方側燃料噴射口２２から噴射される燃料の燃料により生成される炎の保炎をより容易にすることが可能である。
【００４９】
（ジェットエンジンの第１変形例）
図２Ｃは、ジェットエンジン２の変形例を示す。図２Ｃは、実施形態に係るジェットエンジン２の構成の一例を模式的に示す概略断面図である。図２Ｃに記載の例は、燃料供給流路５２が共通流路５２Ｃを備える点、および、燃料供給ポンプ５９が共通流路５２Ｃに配置される点で、図２Ａおよび図２Ｂに記載の例とは異なる。図２Ｃに記載の例は、その他の点では、図２Ａおよび図２Ｂに記載の例と同様である。なお、図２Ｃにおいて、図１Ａ乃至図２Ｂに記載した部材と同じ機能を有する部材については、同一の図番が付されている。同一の図番が付されている部材について、繰り返しの説明は省略される。
【００５０】
共通流路５２Ｃは、前方側燃料噴射口２２に燃料を供給する第１流路５２Ａの一部を構成するとともに、後方側燃料噴射口２４に燃料を供給する第２流路５２Ｂの一部を構成する。図２Ｃに記載の例は、図２Ａおよび図２Ｂに記載の例と同様の効果を奏する。
【００５１】
（ジェットエンジンの第２変形例）
図３Ａおよび図３Ｂは、ジェットエンジン２の変形例を示す。図３Ａは、実施形態に係るジェットエンジン２の構成の一例を模式的に示す概略断面図である。図３Ｂは、図３ＡのＣ−Ｃ矢視断面図である。
【００５２】
図３Ａおよび図３Ｂに記載の例は、燃料供給流路５２の構成が、図２Ａ乃至図２Ｃに記載の例とは異なる。また、図３Ａおよび図３Ｂに記載の例は、後方側燃料噴射口２４に燃料を供給する第２流路５２Ｂが、第２の燃料改質部６２Ｂを備える点で、図２Ａ乃至図２Ｃに記載の例とは異なる。図３Ａおよび図３Ｂに記載の例は、その他の点では、図２Ａ乃至図２Ｃに記載の例と同様である。なお、図３Ａおよび図３Ｂにおいて、図１Ａ乃至図２Ｃに記載した部材と同じ機能を有する部材については、同一の図番が付されている。同一の図番が付されている部材について、繰り返しの説明は省略される。
【００５３】
図３Ａに記載の例では、燃料供給流路５２は、燃料タンク５１と前方側燃料噴射口２２とを流体接続する第１流路５２Ａと、燃料タンク５１と後方側燃料噴射口２４とを流体接続する第２流路５２Ｂとを備える。また、図３Ａに記載の例では、燃料供給流路５２が共通流路５２Ｃを備える。共通流路５２Ｃは、燃料タンク５１と入口６６（燃料改質部の入口）との間に配置される流路を含む。共通流路５２Ｃは、前方側燃料噴射口２２に燃料を供給する第１流路５２Ａの一部を構成するとともに、後方側燃料噴射口２４に燃料を供給する第２流路５２Ｂの一部を構成する。
【００５４】
共通流路５２Ｃには、燃料供給ポンプ５９が配置されてもよい。燃料供給ポンプ５９は、前方側燃料噴射口２２および後方側燃料噴射口２４に向けて、燃料を供給する（圧送する）。
【００５５】
図３Ａおよび図３Ｂに記載の例において、燃料供給機構５０は、燃料改質部６２を備える。燃料改質部６２は、第１の燃料改質部６２Ａと、第２の燃料改質部６２Ｂとを含む。
【００５６】
第１の燃料改質部６２Ａは、前方側燃料噴射口２２に燃料を供給する第１流路５２Ａの一部である。第１の燃料改質部６２Ａの機能は、図２Ａ乃至図２Ｃに記載の第１の燃料改質部６２Ａの機能と同様である。図３Ｂに記載の例では、第１の燃料改質部６２Ａは、燃料改質部６２（第１の燃料改質部６２Ａ）の入口６６と、第１の燃料改質部６２Ａの出口６８Ａとの間の流路である。
【００５７】
第２の燃料改質部６２Ｂは、後方側燃料噴射口２４に燃料を供給する第２流路５２Ｂの一部である。図３Ｂに記載の例では、第２の燃料改質部６２Ｂは、燃料改質部６２（第２の燃料改質部６２Ｂ）の入口６６と、第２の燃料改質部６２Ｂの出口６８Ｂとの間の流路である。第２の燃料改質部６２Ｂは、燃料タンク５１から供給される液体燃料（例えば、高炭素数の炭化水素を主成分として含む液体燃料）を熱分解して、改質燃料（例えば、低炭素数の炭化水素を主成分として含む気体の改質燃料）を生成する。熱分解において必要とされる熱は、例えば、燃焼室Ｃｈから燃焼室の壁部を介して供給される。
【００５８】
第２の燃料改質部６２Ｂには、燃料改質触媒が配置される。燃料改質触媒は、例えば、高炭素数の液体燃料を熱分解して低炭素数の改質燃料を生成する反応を促進する触媒である。
【００５９】
第２の燃料改質部６２Ｂによって改質された燃料（改質燃料）は、後方側燃料噴射口２４に供給される。第２の燃料改質部６２Ｂによって改質された燃料（改質燃料）は、後方側燃料噴射口２４から、燃焼室Ｃｈに噴射される。
【００６０】
図３Ｂに記載の例において、第１の燃料改質部６２Ａと燃焼室Ｃｈの壁部との間の熱交換面積は、第２の燃料改質部６２Ｂと燃焼室Ｃｈの壁部との間の熱交換面積よりも大きい。代替的にあるいは付加的に、単位時間当たりに第１の燃料改質部６２Ａに取り込まれる総入熱量は、単位時間当たりに第２の燃料改質部６２Ｂに取り込まれる総入熱量よりも大きい。代替的にあるいは付加的に、燃料が入口６６から第１の燃料改質部６２Ａの出口６８Ａを通過する時間は、燃料が入口６６から第２の燃料改質部６２Ｂの出口６８Ｂを通過する時間よりも長い。代替的にあるいは付加的に、第１の燃料改質部６２Ａの出口６８Ａにおける燃料の温度は、第２の燃料改質部６２Ｂの出口６８Ｂにおける燃料の温度よりも高い。
【００６１】
このため、前方側燃料噴射口から噴射される燃料の改質の程度（改質率）は、後方側燃料噴射口２４から噴射される燃料の改質の程度（改質率）よりも大きい。換言すれば、図３Ａおよび図３Ｂに記載の例において、燃料供給機構５０は、前方側燃料噴射口２２に、後方側燃料噴射口２４に供給される燃料の改質率よりも高い改質率の燃料を供給する。
【００６２】
図３Ａおよび図３Ｂに記載の例では、燃料改質部として利用可能な領域（燃焼室に隣接する領域）のうちの過半数を、前方側燃料噴射口２２から噴射される燃料の改質のために使用している。このため、前方側燃料噴射口２２から噴射される燃料、および、後方側燃料噴射口２４から噴射される燃料の両者を均等に改質する場合と比較して、前方側燃料噴射口２２から噴射される燃料の改質率を向上させることが可能である。
【００６３】
図３Ａおよび図３Ｂに記載の例では、前方側燃料噴射口２２から噴射される燃料の改質率を、後方側燃料噴射口２４から噴射される燃料の改質率よりも高くすることによって、前方側燃料噴射口２２から噴射される燃料の着火をより容易にし、かつ、前方側燃料噴射口２２から噴射される燃料の燃料により生成される炎の保炎をより容易にすることが可能である。
【００６４】
（飛しょう体の構成概要）
実施形態に係る飛しょう体１の構成について説明する。
図４は、実施形態に係る飛しょう体１の構成の一例を示す斜視図である。飛しょう体１は、実施形態に係るジェットエンジン２と、ロケットモータ３とを具備している。ロケットモータ３は、飛しょう体１を発射装置から飛行させるとき、飛しょう体１を飛しょう開始時の速度から所望の速度まで加速する。ただし、飛しょう開始時の速度は、飛しょう体１が静止している発射装置から発射されるときは、速度ゼロであり、飛しょう体が移動中（または飛行中）の移動体（または飛行体）の発射装置から発射されるときは、その移動体（または飛行体）の移動速度（または飛行速度）である。ジェットエンジン２は、飛しょう体１がロケットモータ３を分離した後、飛しょう体１を更に加速して、目標へ向かって飛しょうさせる。ジェットエンジン２は、機体１０とカウル４０とを備えている。機体１０とカウル４０とは、ジェットエンジン２のインレット、燃焼器及びノズルを構成している。ジェットエンジン２は、インレットにて前方から空気を取り入れ、燃焼器にてその空気と燃料とを混合し、燃焼させ、ノズルにてその燃焼ガスを膨張させ、後方へ送出する。それにより、ジェットエンジン２は推進力を得る。なお、ジェットエンジン２は、ラムジェットエンジンまたはスクラムジェットエンジンであってもよい。
【００６５】
（ジェットエンジンのより詳細な説明）
次に、図５Ａ乃至図５Ｄを参照して、実施形態に係るジェットエンジンについてより詳細に説明する。図５Ａ乃至図５Ｄにおいて、図１乃至図４に記載した部材と同じ機能を有する部材については、同一の図番が付されている。同一の図番が付されている部材について、繰り返しの説明は省略される。
【００６６】
図５Ａは、実施形態に係るジェットエンジンの構成の一例を模式的に示す概略断面図である。図５Ｂは、図５ＡのＤ−Ｄ矢視断面図である。図５Ｃは、燃焼器の壁部の断面（燃焼器の長手方向に垂直な断面）を模式的に示す断面図である。図５Ｄは、実施形態に係るジェットエンジンの構成の一例を模式的に示す概略斜視図である。
【００６７】
ジェットエンジン２は、インレット１１と、燃焼器１２と、ノズル１３とを備える。燃焼器１２は、インレットから取り込まれた空気を用いて燃料を燃焼する。燃焼器１２は、燃料の燃焼によって、燃焼ガスを生成する。ノズル１３は、後方方向に向けて、燃焼ガスを放出する。
【００６８】
ジェットエンジン２は、例えば、機体１０と、機体１０の下方に気体の流通可能な空間Ｓを形成するように設けられたカウル４０とを備えている。機体１０の前方の下方部分とカウル４０の前方部分とは、空間Ｓへ空気を導入するインレット１１を構成している。機体１０の中間の下方部分とカウル４０の中間部分とは、燃料と空気とを混合し燃焼させる燃焼器１２を構成している。機体１０の後方の下方部分とカウル４０の後方部分とは、燃焼気体を膨張させて放出するノズル１３を構成している。
【００６９】
代替的に、例えば、筒状部材によってジェットエンジン２を構成し、当該筒状部材（ジェットエンジン２）が機体１０の下部に取り付けられてもよい。この場合、筒状部材の前方部分がインレット１１を構成し、筒状部材の中間部分が燃焼器１２を構成し、筒状部材の後方部分がノズル１３を構成する。
【００７０】
（燃焼器）
燃焼器１２は、燃焼室Ｃｈと、少なくとも１つの前方側燃料噴射口２２と、少なくとも１つの後方側燃料噴射口２４とを備える。燃焼器１２は、少なくとも１つの燃料点火器を備えていてもよい。図５Ａに記載の例では、燃焼器１２は、前方側燃料噴射口２２から噴射される燃料を点火する前方側燃料点火器２８Ａと、後方側燃料噴射口２４から噴射される燃料を点火する後方側燃料点火器２８Ｂとを備える。また、燃焼器１２は、少なくとも１つの保炎器を備えていてもよい。図５Ａに記載の例では、燃焼器１２は、前方側保炎器２６を備える。
【００７１】
（前方側燃料噴射口）
前方側燃料噴射口２２は、燃焼器１２の壁に設けられている。前方側燃料噴射口２２は、燃焼室Ｃｈに燃料を噴射する。図５Ｂに記載の例では、前方側燃料噴射口２２の数は３個である。また、複数の前方側燃料噴射口は、燃焼器の長手方向に垂直な断面内に配置されている。しかし、前方側燃料噴射口の数および配置は、図５Ｂに記載の例に限定されず、任意である。
【００７２】
（燃料点火器）
燃料点火器（２８Ａ、２８Ｂ）としては、任意の点火器を採用可能である。燃料点火器は、例えば、電気スパークによって、燃料を点火する点火器であってもよい。代替的に、燃料点火器は、自動発火性の燃料（例えば、水素）を燃焼室Ｃｈ内に噴射することによって、燃料を点火する点火器であってもよい。
【００７３】
（前方側保炎器）
前方側保炎器２６は、前方側燃料噴射口２２から噴射される燃料の燃焼によって生成される炎を保炎する保炎器である。保炎器は、燃焼器１２の壁面に設けられている。前方側保炎器２６には、主流空気と前方側燃料噴射口２２から噴射される燃料との混合気体が供給される。混合気体は、前方側保炎器２６内においては、低速で移動する。前方側保炎器２６は、前方側燃料噴射口２２から噴射される燃料の燃焼に用いる炎を維持する。前方側保炎器２６は、例えば、燃焼器１２の壁面に設けられた凹部である。前方側保炎器２６は、例えば、前方側燃料噴射口２２の後方側に配置される。代替的に、前方側保炎器２６が設けられる位置は、前方側燃料噴射口２２が設けられる位置と重なっていてもよい（例えば、前方側保炎器２６の壁部に前方側燃料噴射口２２が設けられてもよい）。
【００７４】
（後方側燃料噴射口）
後方側燃料噴射口２４は、燃焼器１２の壁に設けられている。後方側燃料噴射口２４は、燃焼室Ｃｈに燃料を噴射する。図５Ｂに記載の例では、後方側燃料噴射口２４の数は３個である。また、複数の後方側燃料噴射口は、燃焼器の長手方向に垂直な断面内に配置されている。しかし、後方側燃料噴射口の数および配置は、図５Ｂに記載の例に限定されず、任意である。燃焼器１２には、後方側燃料噴射口２４から噴射される燃料の燃料により生成される炎を保炎する後方側保炎器が設けられてもよい。
【００７５】
なお、図５Ａに記載の例において、後方側燃料噴射口２４および前方側燃料噴射口２２は、１つのジェットエンジンの燃焼室に向けて燃料を噴射する燃料噴射口である。また、後方側燃料噴射口２４および前方側燃料噴射口２２は、１つの燃焼室に向けて燃料を噴射する燃料噴射口である。
【００７６】
（燃料供給機構）
ジェットエンジン２は、燃料供給機構５０を備える。燃料供給機構５０は、燃料タンク５１と、燃料供給流路５２と、燃料供給ポンプ５９Ｃと、タービン８０とを備える。
【００７７】
（燃料供給機構の燃料タンク）
燃料タンク５１は、炭化水素燃料を貯蔵する。炭化水素燃料は、例えば、液体の炭化水素燃料を含む。液体の炭化水素燃料は、例えば、ＪｅｔＡ−１燃料のようなジェット燃料、炭素数１０以上１５以下のケロシン、ドデセン、または、これらの組み合わせを含む燃料である。燃料タンク５１の個数、大きさまたは形状は、任意である。
【００７８】
（燃料供給機構の燃料供給流路）
燃料供給流路５２は、燃料タンク５１と前方側燃料噴射口２２とを流体接続する第１流路５２Ａと、燃料タンク５１と後方側燃料噴射口２４とを流体接続する第２流路５２Ｂとを備える。また、燃料供給流路５２は、第１流路５２Ａであるとともに第２流路５２Ｂである共通流路５２Ｃを備えていてもよい。図５Ａに記載の例では、燃料タンク５１と入口６６（燃料改質部の入口）との間に配置される流路は、共通流路５２Ｃである。
【００７９】
（燃料供給ポンプ５９Ｃ）
燃料供給ポンプ５９Ｃは、燃料供給流路５２（より具体的には、共通流路５２Ｃ）に配置される。燃料供給ポンプ５９Ｃには、燃料タンク５１から燃料が供給される。燃料供給ポンプ５９Ｃは、燃料供給流路５２の下流側に向けて、燃料を圧送する。燃料供給ポンプ５９Ｃは、電動モータ等の駆動源によって駆動されてもよい。燃料供給ポンプ５９Ｃに供給される過剰な燃料は、リターン流路７０を介して、燃料タンク５１に戻されてもよい。燃料供給ポンプ５９Ｃの駆動軸は、動力伝達機構７２を介して、後述のタービン８０の出力軸に接続されていてもよい。
【００８０】
（タービン）
タービン８０は、燃料供給流路５２に配置される。タービン８０が配置される位置は、燃料供給ポンプ５９Ｃが配置される位置よりも、燃料供給流路５２の下流側である。より具体的には、燃料供給ポンプ５９Ｃは、燃料改質部６２（より具体的には、第１の燃料改質部６２Ａ）よりも上流側に配置され、タービン８０は、燃料改質部６２（より具体的には、第１の燃料改質部６２Ａ）よりも下流側に配置される。
【００８１】
タービン８０は、燃料供給ポンプ５９Ｃによって圧送される燃料によって回転駆動される。タービン８０の出力軸は、動力伝達機構７２を介して、燃料供給ポンプ５９Ｃを駆動させる駆動軸に接続される。タービン８０が回転駆動された後、燃料供給ポンプ５９Ｃは、タービン８０から伝達される駆動力のみによって、駆動されるようにしてもよい。なお、図５Ａに記載の例では、タービン８０は、第１流路５２Ａの第１の燃料改質部６２Ａよりも下流側の部分に配置される。第１流路５２Ａの第１の燃料改質部６２Ａよりも下流側の部分には、改質率の高い燃料が供給される。このため、当該部分は、タービンが配置される場所として、好適である。代替的に、タービン８０は、第２流路５２Ｂの第２の燃料改質部６２Ｂよりも下流側の部分に配置されてもよい。
【００８２】
図５Ａに記載の例では、燃料供給ポンプ５９Ｃの駆動源として、タービンを用いている。このため、燃料供給ポンプ５９Ｃの駆動に必要な電力量が低減される。
【００８３】
（燃料改質部）
燃料供給機構５０は、燃料改質部６２を備える。燃料改質部６２は、燃料タンク５１から供給される液体燃料（例えば、ＪｅｔＡ−１燃料のようなジェット燃料、炭素数１０以上１５以下のケロシン、ドデセン、または、これらの組み合わせを含む液体燃料）を熱分解して、低炭素数の炭化水素を主成分として含む気体の改質燃料（例えば、水素、メタン、エチレン、エタン、プロピレン、プロパン、または、これらの組み合わせを含む改質燃料）を生成する。熱分解において必要とされる熱は、例えば、燃焼室Ｃｈから燃焼室の壁部を介して供給される。なお、上記熱分解は、吸熱反応である。このため、燃料改質部６２が、燃焼室Ｃｈの壁に接触している場合には、吸熱反応によって、燃焼室の壁が効果的に冷却される。
【００８４】
燃料改質部６２には、燃料改質触媒が配置される。燃料改質触媒は、例えば、高炭素数の液体燃料を熱分解して低炭素数の改質燃料を生成する反応を促進する触媒である。
【００８５】
燃料改質部６２は、例えば、燃焼室の壁面に沿って配置される。燃料改質部６２と燃焼室の壁面との間の距離は、例えば、１ｍｍ以上１０ｍｍ以下である。
【００８６】
燃料改質部６２は、燃料供給流路５２の一部分である。燃料供給流路５２の一部分を構成する燃料改質部６２は、例えば、燃焼室Ｃｈの壁部に形成された燃料供給流路用の溝である。図５Ｃは、燃焼室Ｃｈの壁部５３の断面（燃焼器の長手方向に垂直な断面）の一例である。図５Ｃに記載の例では、複数の流路用の溝によって構成される燃料供給流路５２が、燃焼室Ｃｈを囲むように配置されている。代替的に、複数の流路用の溝は、燃焼室Ｃｈの壁部の一部のみ（例えば、燃焼室の機体１０側の壁部のみ）に配置されてもよい。なお、流路用の溝の全てが、燃料改質部６２を構成していてもよい。代替的に、流路用の溝の一部のみが、燃料改質部６２を構成していてもよい。
【００８７】
燃料改質部６２は、第１の燃料改質部６２Ａと、第２の燃料改質部６２Ｂとを含む。
【００８８】
第１の燃料改質部６２Ａは、前方側燃料噴射口２２に燃料を供給する第１流路５２Ａの一部である。第１の燃料改質部６２Ａの機能は、図２Ａおよび図２Ｂ、図３Ａおよび図３Ｂに記載の第１の燃料改質部６２Ａの機能と同様である。図５Ｂに記載の例では、第１の燃料改質部６２Ａは、燃料改質部６２（第１の燃料改質部６２Ａ）の入口６６と、第１の燃料改質部６２Ａの出口６８Ａとの間の流路である。
【００８９】
第１の燃料改質部６２Ａによって改質された燃料（改質燃料）は、前方側燃料噴射口２２に供給される。図５Ｂに記載の例では、第１の燃料改質部６２Ａによって改質された燃料（改質燃料）は、燃料改質部６２の２つの隣接する燃料供給流路間に配置される壁部５３に設けられる貫通孔を介して、前方側燃料噴射口２２に供給される。
【００９０】
第２の燃料改質部６２Ｂは、後方側燃料噴射口２４に燃料を供給する第２流路５２Ｂの一部である。第２の燃料改質部６２Ｂの機能は、図３Ａおよび図３Ｂに記載の第２の燃料改質部６２Ｂの機能と同様である。図５Ｂに記載の例では、第２の燃料改質部６２Ｂは、燃料改質部６２（第２の燃料改質部６２Ｂ）の入口６６と、第２の燃料改質部６２Ｂの出口６８Ｂとの間の流路である。
【００９１】
第２の燃料改質部６２Ｂによって改質された燃料（改質燃料）は、後方側燃料噴射口２４に供給される。図５Ｂに記載の例では、第２の燃料改質部６２Ｂによって改質された燃料（改質燃料）は、燃料改質部６２の２つの隣接する燃料供給流路間に配置される壁部５３に設けられる貫通孔を介して、後方側燃料噴射口２４に供給される。
【００９２】
図５Ｂに記載の例において、第１の燃料改質部６２Ａと燃焼室Ｃｈの壁部との間の熱交換面積は、第２の燃料改質部６２Ｂと燃焼室Ｃｈの壁部との間の熱交換面積よりも大きい。なお、第１の燃料改質部６２Ａと燃焼室Ｃｈの壁部との間の熱交換面積は、例えば、第１の燃料改質部６２Ａを構成する流路（換言すれば、入口６６と出口６８Ａとの間の流路）と、当該流路を囲む壁部５３との境界面の総面積を意味する。また、第２の燃料改質部６２Ｂと燃焼室Ｃｈの壁部との間の熱交換面積は、例えば、第２の燃料改質部６２Ｂを構成する流路（換言すれば、入口６６と出口６８Ｂとの間の流路）と、当該流路を囲む壁部５３との境界面の総面積を意味する。
【００９３】
図５Ｂに記載の例において、第１の燃料改質部６２Ａと燃焼室Ｃｈの壁部との間の熱交換面積は、第２の燃料改質部６２Ｂと燃焼室Ｃｈの壁部との間の熱交換面積よりも大きい。このため、前方側燃料噴射口から噴射される燃料の改質の程度（改質率）は、後方側燃料噴射口２４から噴射される燃料の改質の程度（改質率）よりも大きい。なお、炭素数に対する水素数の比が大きな燃料ほど、燃料の改質率が高い（改質率が大きい）燃料であると定義されてもよい。あるいは、燃料全体に占める炭素数３以下の燃料の割合（重量％）が大きな燃料ほど、燃料の改質率が高い（改質率が大きい）燃料であると定義されてもよい。あるいは、燃料の平均分子量が小さいほど、燃料の改質率が高い（改質率が大きい）燃料であると定義されてもよい。
【００９４】
図５Ａ乃至図５Ｄに記載の例は、図３Ａおよび図３Ｂに記載の例と同様の効果を奏する。
【００９５】
なお、図５Ｂに記載の例のように、燃料改質部６２は、前方側領域６３と、後方側領域６５とを備えていてもよい。前方側領域６３は、第１の燃料改質部６２Ａと、第２の燃料改質部６２Ｂとを備える。他方、後方側領域６５は、第１の燃料改質部６２Ａのみを備え、第２の燃料改質部６２Ｂを備えない。
【００９６】
代替的に、前方側領域６３が、第１の燃料改質部６２Ａのみを備え、後方側領域６５が、第１の燃料改質部６２Ａおよび第２の燃料改質部６２Ｂを備えるようにしてもよい。
【００９７】
図５Ｂに記載の例のように、燃料改質部６２が、前方側領域６３と後方側領域６５との間に、流路分岐領域６４を備えるようにしてもよい。流路分岐領域６４によって、流路分岐領域の下流側の第１流路５２Ａの本数（図５Ｂに記載の例では、１０本）を、流路分岐領域の上流側の第１流路５２Ａの本数（図５Ｂに記載の例では、４本）よりも多くすることが可能である。
【００９８】
（ジェットエンジンの第３変形例）
図６Ａ乃至図６Ｃは、ジェットエンジン２の変形例を示す。図６Ａは、実施形態に係るジェットエンジンの構成の一例を模式的に示す概略断面図である。図６Ｂは、図６ＡのＥ−Ｅ矢視断面図である。図６Ｃは、実施形態に係るジェットエンジンの構成の一例を模式的に示す概略斜視図である。
【００９９】
図６Ａ乃至図６Ｃに記載の例は、後方側燃料噴射口２４に燃料を供給する第２流路５２Ｂに流量調整弁９０が配置される点で、図５Ａ乃至図５Ｄに記載の例とは異なる。また、図６Ａ乃至図６Ｃに記載の例は、燃料改質部の構成が、図５Ａ乃至図５Ｄに記載の例とは異なる。図６Ａ乃至図６Ｃに記載の例は、その他の点では、図５Ａ乃至図５Ｄに記載の例と同様である。なお、図６Ａ乃至図６Ｃにおいて、図１乃至図５Ｄに記載した部材と同じ機能を有する部材については、同一の図番が付されている。同一の図番が付されている部材について、繰り返しの説明は省略される。
【０１００】
（流量調整弁）
図６Ａ乃至図６Ｃに記載の例において、流量調整弁９０は、燃料改質部６２（より具体的には、後述の共通燃料改質部６２Ｃ）よりも下流側に配置される。流量調整弁９０は、燃料改質部６２（より具体的には、後述の共通燃料改質部６２Ｃ）から後方側燃料噴射口２４に供給される燃料の量を調整する。
【０１０１】
（燃料改質部）
図６Ｂに記載の例において、燃料改質部６２は、共通燃料改質部６２Ｃを備える。共通燃料改質部６２Ｃは、第１の燃料改質部６２Ａの少なくとも一部を構成するとともに、第２の燃料改質部６２Ｂの少なくとも一部を構成する。換言すれば、共通燃料改質部６２Ｃで改質された燃料の一部を、前方側燃料噴射口２２から噴射するとともに、共通燃料改質部６２Ｃで改質された燃料の他の一部を、後方側燃料噴射口２４から噴射することが可能である。
【０１０２】
共通燃料改質部６２Ｃは、燃料改質部６２の上流側領域に配置される。共通燃料改質部６２Ｃの下流側には、第１の燃料改質部６２Ａが配置される。換言すれば、第１の燃料改質部６２Ａは、燃料改質部６２の下流側領域に配置される。
【０１０３】
図６Ｂに記載の例において、入口６６（燃料改質部の入口）と、出口６８Ｂ（共通燃料改質部６２Ｃの出口）との間の流路は、共通流路５２Ｃである。共通流路５２Ｃは、前方側燃料噴射口２２に燃料を供給する第１流路５２Ａの一部であるとともに、後方側燃料噴射口２４に燃料を供給する第２流路５２Ｂの一部である。
【０１０４】
第２流路５２Ｂにおいて、共通燃料改質部６２Ｃよりも下流側の部分に配置される流量調整弁９０を閉鎖状態にする時、共通燃料改質部６２Ｃで改質された燃料は、全て、第１の燃料改質部の出口６８Ａを介して、前方側燃料噴射口２２に供給される。流量調整弁９０を開放状態にする時、共通燃料改質部６２Ｃで改質された燃料の一部は、出口６８Ｂを介して後方側燃料噴射口２４に供給され、共通燃料改質部６２Ｃで改質された燃料の残部は、出口６８Ａを介して前方側燃料噴射口２２に供給される。
【０１０５】
図６Ａ乃至図６Ｃに記載の例では、図５Ａ乃至図５Ｄに記載の例が奏する効果に加えて、次の効果を奏する。すなわち、後方側燃料噴射口２４から噴射される燃料の流量が少ない場合においても（典型的には、後方側燃料噴射口２４から噴射される燃料の流量がゼロである場合においても）、出口６８Ｂの上流側に位置する燃料改質部（換言すれば、共通燃料改質部６２Ｃ）の全てを利用することができる。このため、燃料改質の観点、および、燃焼室Ｃｈの壁部の冷却の観点から、好適である。
【０１０６】
図６Ａ乃至図６Ｃに記載のジェットエンジン２では、タービン８０によって得られる出力を用いて、燃料供給ポンプ５９Ｃを作動させる。このような場合、燃料供給ポンプ５９Ｃで必要な駆動力に対して、タービンで得られる出力が過剰となる場合がある。図６Ａ乃至図６Ｃに記載の例では、例えば、流量調整弁９０の開度を調整することにより、タービンに供給される燃料の流量を調整することが可能である。このため、タービンで得られる出力が過剰となる現象を抑制することが可能である。
【０１０７】
なお、図６Ｄに示されるように、燃料供給ポンプ５９Ｃから燃料タンク５１に燃料を戻すリターン流路７０を省略しても良い。その結果、燃料供給ポンプ５９Ｃの周囲の構造を簡素化することが可能である。
【０１０８】
なお、図６Ｅに示されるように、タービン８０の上流側に配置される流量調整弁９２によって、タービンに供給される燃料の流量を調整してもよい。流量調整弁９２を配置する場合、出口６８Ａ（第１の燃料改質部６２Ａの出口）と、前方側燃料噴射口２２との間に、タービン８０を通過しないバイパス流路５２Ｄを配置してもよい。
【０１０９】
図２Ａ乃至図６Ｅに記載の例では、前方側燃料噴射口から噴射される燃料の改質率を向上させることが可能である。燃料の改質率が向上することにより、ジェットエンジンにおける燃料の着火性能が向上する。また、燃料の改質率が向上することにより、燃焼室における炎の保炎性能が向上する。着火性能および保炎性能の向上により、ジェットエンジンの作動範囲が拡大する。ジェットエンジンの作動範囲が拡大することにより、例えば、ロケットモータを小型化することが可能である。その結果、飛しょう体を小型化あるいは高性能化することが可能である。
【０１１０】
本発明は上記各実施形態に限定されず、本発明の技術思想の範囲内において、各実施形態は適宜変形又は変更され得ることは明らかである。また、各実施形態又は変形例で用いられる種々の技術は、技術的矛盾が生じない限り、他の実施形態又は変形例にも適用可能である。
【符号の説明】
【０１１１】
１      ：飛しょう体
２      ：ジェットエンジン
３      ：ロケットモータ
１０    ：機体
１１    ：インレット
１２    ：燃焼器
１３    ：ノズル
２２    ：前方側燃料噴射口
２４    ：後方側燃料噴射口
２６    ：前方側保炎器
２８Ａ  ：前方側燃料点火器
２８Ｂ  ：後方側燃料点火器
４０    ：カウル
５０    ：燃料供給機構
５１    ：燃料タンク
５２    ：燃料供給流路
５２Ａ  ：第１流路
５２Ｂ  ：第２流路
５２Ｃ  ：共通流路
５２Ｄ  ：バイパス流路
５３    ：壁部
５９    ：燃料供給ポンプ
５９Ａ  ：第１の燃料供給ポンプ
５９Ｂ  ：第２の燃料供給ポンプ
５９Ｃ  ：燃料供給ポンプ
６２    ：燃料改質部
６２Ａ  ：第１の燃料改質部
６２Ｂ  ：第２の燃料改質部
６２Ｃ  ：共通燃料改質部
６３    ：前方側領域
６４    ：流路分岐領域
６５    ：後方側領域
６６    ：入口
６６Ａ  ：入口
６８    ：出口
６８Ａ  ：出口
６８Ｂ  ：出口
７０    ：リターン流路
７２    ：動力伝達機構
８０    ：タービン
９０    ：流量調整弁
９２    ：流量調整弁
Ｃｈ    ：燃焼室
Ｓ      ：空間
【図１Ａ】
0006441724.tif 000002
【図１Ｂ】
0006441724.tif 000003
【図２Ａ】
0006441724.tif 000004
【図２Ｂ】
0006441724.tif 000005
【図２Ｃ】
0006441724.tif 000006
【図３Ａ】
0006441724.tif 000007
【図３Ｂ】
0006441724.tif 000008
【図４】
0006441724.tif 000009
【図５Ａ】
0006441724.tif 000010
【図５Ｂ】
0006441724.tif 000011
【図５Ｃ】
0006441724.tif 000012
【図５Ｄ】
0006441724.tif 000013
【図６Ａ】
0006441724.tif 000014
【図６Ｂ】
0006441724.tif 000015
【図６Ｃ】
0006441724.tif 000016
【図６Ｄ】
0006441724.tif 000017
【図６Ｅ】
0006441724.tif 000018